(57)【要約】【課題】軸筒の先端から芯を突出させて筆記するシャープペンシルにおいて、軸筒を持ち変えなくても芯の筆記先端を回転できるようにしたシャープペンシルを提供する。【解決手段】軸筒３の先端から芯６を突出させて筆記するようにしたシャープペンシル本体１と、筆記の際に保持される筒状の保持筒２を形成する。このシャープペンシル本体１を、保持筒２内に前後方向に移動可能にかつ回転可能に挿入する。この保持筒２とシャープペンシル本体１の間に、シャープペンシルが前後動するとき、シャープペンシル本体を回転させる機構を設ける。この機構は、保持筒２に設けられた前歯車２４及び後歯車２３と、この前歯車２４及び後歯車２３にそれぞれかみ合うようシャープペンシル本体１の外周に設けられた前方固定歯車１９及び後方固定歯車１６を含み、これらの前歯車及び前方固定歯車と、後歯車及び後方固定歯車の歯の位相をずらして設けてある。【選択図】図１
2011136465.tif 000002
【特許請求の範囲】
【請求項１】
筆記する際に保持される筒状の保持筒と、軸筒の先端から芯を繰り出すように構成したシャープペンシル本体を有し、該シャープペンシル本体を前後方向に移動可能にかつ周方向に回転可能に保持筒内に挿入し、該保持筒の内面に前向きの歯を有する前歯車及び後向きの歯を有する後歯車を形成し、シャープペンシル本体の外周に該シャープペンシル本体が後退するとき上記前歯車に係合する歯を有する前方固定歯車及び上記シャープペンシル本体が前進するとき上記後歯車に係合する歯を有する後方固定歯車を形成し、筆圧が作用したとき上記シャープペンシル本体が後退することを許容し筆圧が消失したとき上記シャープペンシル本体を前進させて上記後歯車と後方固定歯車をかみ合わせるよう上記保持筒とシャープペンシル本体を付勢する筆圧スプリングを設け、上記シャープペンシル本体が前後動するとき該シャープペンシル本体が回転するよう上記前歯車及び前方固定歯車の歯の位相と後歯車及び後方固定歯車の歯の位相をずらして設けたことを特徴とするシャープペンシル。  
【請求項２】
上記保持筒はシャープペンシル本体の軸筒に嵌着したグリップである請求項１に記載のシャープペンシル。
【請求項３】
上記シャープペンシル本体の外周には段部が形成され、上記グリップの後端は該段部に当接可能に設けられている請求項２に記載のシャープペンシル。
【請求項４】
上記保持筒はシャープペンシル本体の軸筒に沿って延びる長さを有する本体カバーである請求項１に記載のシャープペンシル。
【請求項５】
上記シャープペンシル本体の外周には段部が形成され、上記本体カバーの後端は該段部に当接可能に設けられている請求項４に記載のシャープペンシル。
【請求項６】
ノック操作により軸筒の先端から芯を繰り出すように構成したノック式シャープペンシル本体を有し、シャープペンシル本体の軸筒の外周に段部を設け、その前方に前向きの歯を有する後方固定歯車を形成し、該軸筒の先部に位置決め溝を形成し、該軸筒の後向きに歯を有する前方固定歯車を嵌着し、該前方固定歯車の内面に形成した突起を上記位置決め溝に係合させて上記前方固定歯車を軸筒の外周に回転不能状態に固定し、上記後方固定歯車及び前方固定歯車を囲んで筆記の際に保持される保持筒を上記段部の前方に嵌着し、該保持筒の内面に上記前方固定歯車に係合するよう前向きの歯を有する前歯車と上記後方固定歯車に係合するよう後向きの歯を有する後歯車を形成し、筆圧が作用したとき上記シャープペンシル本体が後退することを許容し筆圧が消失したとき上記シャープペンシル本体を前進させて上記後歯車と後方固定歯車をかみ合わせるよう上記保持筒とシャープペンシルを付勢する筆圧スプリングを設け、上記シャープペンシル本体が前後動する際、該シャープペンシル本体が回転するよう前歯車及び前方固定歯車の歯の位相と後歯車及び後方固定歯車の歯の位相をずらして設けたことを特徴とするシャープペンシル。
【発明の詳細な説明】
【技術分野】
【０００１】
本発明は、筆記にともなって摩耗した芯の先端を回転できるようにしたシャープペンシルに関するものである。
【背景技術】
【０００２】
筆記にともなって芯の先端は斜めに摩耗し、筆記された線の太さが変化してしまう。そのような現象を回避するためには、軸筒を持ち変えて芯の筆記先端の方向を変えればよいが、その都度、軸筒を握り直さなければならないので面倒である。そこで、軸筒を持ち変えずに、芯の先端を回転できるようにしたシャープペンシルが知られている（例えば特許文献１参照）。特許文献１に記載のシャープペンシルは、軸筒内に配設されたチャックユニットの前後動により筆記芯の解除と把持を行い、前記筆記芯を前方に繰り出すことができるように構成されたシャープペンシルであって、前記チャックユニットが、筆記芯を把持した状態で軸芯を中心にして回転可能となるように前記軸筒内に保持されると共に、前記筆記芯の筆記圧による前記チャックユニットの後退動作に伴い、回転子を回転駆動させる回転駆動機構が具備され、前記回転子の回転運動を前記チャックユニットを介して前記筆記芯に伝達するように構成されている。
【０００３】
すなわち、上記シャープペンシルは、軸筒を回転させずに、チャックユニットを筆記圧により後退動させ、回転駆動機構を介して軸筒内でチャックユニットを回転させるよう構成してある。このチャックユニットには、芯を収納している芯ケースが接続されているから、チャックユニットを回転させるためには、芯ケースも軸筒内で回転されなければならない。そのために軸筒内にチャックユニット等の回転機構を設けると共にばね部材等に回転力を伝えないようトルクキャンセラー等を設ける必要があり、構成が複雑になる。
【０００４】
上記のように、従来知られている芯回転式のシャープペンシルは、芯を把持しているチャックユニットやチャックユニットを取り付けた芯ケース（芯タンク）を軸筒内で回転させる機構であるので、構成が複雑になっている。一方、芯支持部と手支持部を分離し、芯支持部が手支持部に対して一方向に回転するようにしたシャープペンシルも提案されている（例えば特許文献２参照）。しかし、このシャープペンシルでは芯支持部の構成が不明であり、また芯支持部に形成した下部ストッパーの上面にのこぎり状の歯を設け、手支持部の先端にこの歯に係合するまっすぐな部材と先端がまがっている部材を固設し、これらの部材によりストッパーが上下に運動する毎にストッパーを一方向に回転させるよう構成されているが、上記部材の上下動と歯のかみ合わせによる回転操作に確実性がない。そのため、このシャープペンシルが実施されたかどうか知らない。
【先行技術文献】
【特許文献】
【０００５】
【特許文献１】特許第４２４０４１７号公報（請求項１、段落００４８、段落００４９、段落００６６、図１）
【特許文献２】実開昭５４−２５３３９号（実用新案登録請求の範囲、第２図、第３図）
【発明の概要】
【発明が解決しようとする課題】
【０００６】
本発明の解決課題は、軸筒を持ち変えたり、チャックユニットを軸筒内で回転させたりすることなく、芯を回転させることができ、従来のシャープペンシルの機構を殆ど利用して簡単に芯を回転できるようにしたシャープペンシルを提供することである。
【課題を解決するための手段】
【０００７】
本発明によれば、筆記する際に保持される筒状の保持筒と、軸筒の先端から芯を繰り出すように構成したシャープペンシル本体を有し、該シャープペンシル本体を前後方向に移動可能にかつ周方向に回転可能に保持筒内に挿入し、該保持筒の内面に前向きの歯を有する前歯車及び後向きの歯を有する後歯車を形成し、シャープペンシル本体の外周に該シャープペンシル本体が後退したとき上記前歯車に係合する歯を有する前方固定歯車及び上記シャープペンシル本体が前進したとき上記後歯車に係合する歯を有する後方固定歯車を形成し、筆圧が作用したとき上記シャープペンシル本体が後退することを許容し筆圧が消失したとき上記シャープペンシル本体を前進させて上記後歯車と後方固定歯車をかみ合わせるよう上記保持筒とシャープペンシルを付勢する筆圧スプリングを設け、シャープペンシル本体が前後動するときシャープペンシル本体を回転させるよう上記前歯車及び前方固定歯車の歯の位相と後歯車及び後方固定歯車の歯の位相をずらして設けたシャープペンシルが提供され、上記課題が解決される。
【０００８】
また、本発明によれば、上記保持筒として、シャープペンシル本体の軸筒の外周にグリップや本体カバーを設けた上記シャープペンシルが提供される。
【発明の効果】
【０００９】
本発明は、上記のように、筆記する際に保持される筒状の保持筒と、軸筒の先端から芯を繰り出すように構成したシャープペンシル本体を有し、該シャープペンシル本体を前後方向に移動可能にかつ周方向に回転可能に保持筒内に挿入し、該保持筒の内面に前向きの歯を有する前歯車及び後向きの歯を有する後歯車を形成し、シャープペンシル本体の外周に該シャープペンシル本体が後退したとき上記前歯車に係合する歯を有する前方固定歯車及び上記シャープペンシル本体が前進したとき上記後歯車に係合する歯を有する後方固定歯車を形成し、筆圧が作用したとき上記シャープペンシル本体が後退することを許容し筆圧が消失したとき上記シャープペンシル本体を前進させて上記後歯車と後方固定歯車をかみ合わせるよう上記保持筒とシャープペンシルを付勢する筆圧スプリングを設け、シャープペンシル本体が前後動するときシャープペンシル本体を回転させるよう上記前歯車及び前方固定歯車の歯の位相と後歯車及び後方固定歯車の歯の位相をずらして設けたから、筆記の際に芯先端を紙面に接離させると保持筒内でシャープペンシル本体を回転させることができ、これに伴って芯を回転させることができる。その上、シャープペンシル本体としては従来のノック式シャープペンシルやサイドノック式シャープペンシル、回転繰出式シャープペンシルその他公知のシャープペンシルのメカをそのまま使用することができるので、構成が著しく簡素化され、経済的に得ることができる。
【００１０】
また、上記保持筒として、グリップや本体カバーを設ければ、シャープペンシルとして使い易く、外観も従来のシャープペンシルと殆ど変わらないものが得られる。さらに、上記前方固定歯車を軸筒と別体に形成し、保持筒にシャープペンシル本体を挿入してから軸筒に嵌着し、軸筒に連結されるテーパー部材で前方固定歯車を固定するようにすると、組立が簡単で経済的に得ることができる。
【図面の簡単な説明】
【００１１】
【図１】本発明の一実施例を示す断面図。
【図２】図１に示すシャープペンシルにおいて、筆圧が作用しない状態の一部を断面した側面図。
【図３】図１に示すシャープペンシルの筆記状態の一部を断面した側面図。
【図４】シャープペンシル本体の軸筒の一部を示す断面図。
【図５】前方固定歯車を示し、（Ａ）は側面図、（Ｂ）半断面図。
【図６】グリップの一部を断面して示す側面図
【図７】本発明の他の実施例を示す断面図。
【図８】図７に示すシャープペンシルにおいて、筆圧が作用しない状態の一部を断面した側面図。
【図９】図７に示すシャープペンシルの筆記状態の一部を断面した側面図。
【図１０】保持筒の前歯車、後歯車とシャープペンシル本体の前方固定歯車、後方固定歯車の関係を示し、（Ａ）は筆記前の位置関係、（Ｂ）は筆記開始時に前歯車が前方固定歯車に当接した状態、（Ｃ）は歯車がかみ合って上記（Ｂ）の状態から１歯分回転したとき、（Ｄ）は筆記先端を紙面から離したときの各説明図。
【発明を実施するための形態】
【００１２】
図１は、本発明のシャープペンシルの一実施例を示し、シャープペンシル本体１と、筆記する際手で保持される筒状の保持筒２を有している。該シャープペンシル本体１は、通常のノック式シャープペンシルやサイドノック式シャープペンシル、回転繰出式シャープペンシルその他適宜の機構であってもよく、図１に示す実施例では、ノック式シャープペンシルを用いている。すなわち、シャープペンシル本体１は、軸筒３を有し、該軸筒３の先端にはテーパー部材４が連結され、外周にはクリップ５が設けられている。この軸筒３内には、芯６を収納する芯タンク７と、該芯タンク７の先端に固定したチャック８及び該チャック８の開閉を制御するクラッチ９、該チャック等を後方に押圧するメカスプリング１０があり、芯タンク７の後端には消しゴム１１及びノックカバー１２が装着されている。また、上記テーパー部材４には上記クラッチ９が前進したとき当接する内方段部１３や繰出された芯を仮保持するブレーカーゴムや弾性片等の芯保持部材１４が設けられている。これらの機構は公知の機構であって、軸筒３の後端から突出するノックカバー１２をノックすることにより芯６をテーパー部材４の先端から繰出して筆記することができる。
【００１３】
上記軸筒３の外面には、図４に示すように段部１５が設けられ、この段部１５より前方の外周面には前向きの歯を有する後方固定歯車１６が形成され、該後方固定歯車１６の前方の軸筒は小径に形成され、該小径部の前端には前方に開口し軸方向に延びる位置きめ溝１７が形成されている。この小径部の前方にはねじ部１８が形成され、上記テーパー部材４がねじ着される。そして、このテーパー部材４をねじ着する前に、軸筒３の先端から図５に示すような前方固定歯車１９を嵌着する。この前方固定歯車１９は、後向きの歯を有し、内面には突起２０が形成され、該突起２０を上記位置決め溝１７に係合させることにより該前方固定歯車１９は、回転不能に位置決めした状態で軸筒３に固定される。    
【００１４】
上記シャープペンシル本体１は保持筒２内に挿入され、保持筒２内で前後方向に移動可能でかつ回転可能である。上記保持筒２は、少なくとも上記軸筒の後方固定歯車１６と前方固定歯車１９を囲む部位に位置する。図１〜図３に示す実施例では、該保持筒２はグリップ２１として使用できる適宜の長さに設けられている。該保持筒の内面にはスプリング受部２２が形成され、該受部の後面には、上記後方固定歯車１６に係合するよう後向きの歯を有する後歯車２３が設けられている。また、上記受部の前方は少し内径が広げられ、この拡径部の端面には上記前方固定歯車１９に係合するよう前向きの歯を有する前歯車２４が形成されている。
【００１５】
上記保持筒３とシャープペンシル本体１の間には、シャープペンシル本体１の上記段部１５に保持筒２の後端が当接する位置まで上記シャープペンシル本体１を前進（保持筒を後退）させて上記後歯車２３と後方固定歯車１６をかみ合わせ、また、シャープペンシル本体１が後退（保持筒が前進）することを許容して上記前歯車２４と前方固定歯車１９をかみ合わせるよう上記保持筒２とシャープペンシル本体１を付勢する筆圧スプリング２５が設けられている。図１に示す実施例では、この筆圧スプリング２５は上記受部２２と前方固定歯車１９の突起２０の間に挿入してあるが、その他適宜の部位に設けることもできる。
【００１６】
上記保持筒２は上述したように適宜の長さに形成することができ、図１に示すグリップ２１の長さよりも長く形成し、軸筒とほぼ同じ長さになるように形成した本体カバーとすることもできる。図７は、本体カバー２６を軸筒３の外周に設けた実施例を示し、この本体カバー２６には、クリップ２７が設けられ、軸筒の後部に設けた段部２８に本体カバー２６が当接するようにしてある。他の構成は上記図１に示す実施例と同様であるので、説明を省略する。
【００１７】
上記前歯車２４及び前方固定歯車１９、後歯車２３及び後方固定歯車１６に設けられる歯は、かみ合い時に回転力が生じるよう周方向に先端が傾斜した山形状に設けられている。そして、シャープペンシル本体１が前後動して上記前歯車２４と前方固定歯車１９がかみ合い、若しくは後歯車２３と後方固定歯車１６がかみ合うときシャープペンシル本体１が回転するよう上記前歯車２４及び前方固定歯車１９の歯の位相と後歯車２３及び後方固定歯車１６の歯の位相をずらして設けてある。
【００１８】
上記歯車の相対的な動きを図１０を参照して説明すると、同図（Ａ）は保持筒２の後歯車２３とシャープペンシル本体１の後方固定歯車１６がかみ合っている状態であり、同図（Ｂ）は保持筒２が図において左行（シャープペンシル本体が右行）して保持筒２の前歯車２４と前方固定歯車１９が当接した状態である。上記（Ｂ）の状態よりさらに保持筒２が図において左行すると、同図（Ｃ）に示すように、保持筒２の前歯車２４と前方固定歯車１９がかみ合い、この際、前歯車２４及び前方固定歯車１９の歯の位相と後歯車２３及び後方固定歯車１６の歯の位相がずれているから、前方固定歯車１９は保持筒２の前歯車２４により回転される。そして、同図（Ｃ）の状態から保持筒２が図において右行（シャープペンシル本体が左行）すると、同図（Ｄ）に示すように、前歯車２４は前方固定歯車１９から離れ、後歯車２３は後方固定歯車１６にかみ合い、上記図（Ａ）の状態に戻る。この際も歯の位相のずれにより後方固定歯車１６が後歯車２３により回転される。
【００１９】
以上のように、前後の歯車のかみ合いにより保持筒２内でシャープペンシル本体１は回転するから、筆記に際し、芯の先端を紙面に当ててシャープペンシル本体１に筆圧を作用させて、シャープペンシル本体１を後退（保持筒を前進）させると、保持筒２の前歯車２４と前方固定歯車１９がかみ合うから、上述のようにシャープペンシル本体１を回転させて芯６を回転することができる（図３、図９）。このとき、上記後歯車２３と後方固定歯車１６の間及び保持筒２の後端と段部１５の間には隙間２９が形成される。そして、芯の先端を紙面から離すと、筆圧が消失し、筆圧スプリング２５によりシャープペンシル本体１は前進（保持筒は後退）し、保持筒２の前歯車２４は前方固定歯車１９から離れ、後歯車２３とシャープペンシル本体１の後方固定歯車１６がかみ合うから、上述のようにシャープペンシル本体を回転させて芯を回転することができる（図２、図８）。このとき、保持筒とシャープペンシル本体１の相対的な移動は、保持筒２の後端が段部１５に当接することにより停止し、前歯車２４と前方固定歯車１６間には、隙間２９が形成される。このように、紙面に芯を接離させることにより、グリップ２１や本体カバー２６を回転させることなく、芯６を回転させることができる。
【符号の説明】
【００２０】
１    シャープペンシル本体
２    保持筒
３    軸筒
１５  段部
１６  後方固定歯車
１９  前方固定歯車
２１  グリップ
２３  後歯車
２４  前歯車
２５  筆圧スプリング
２６  本体カバー
【図１】
2011136465.tif 000003
【図２】
2011136465.tif 000004
【図３】
2011136465.tif 000005
【図４】
2011136465.tif 000006
【図５】
2011136465.tif 000007
【図６】
2011136465.tif 000008
【図７】
2011136465.tif 000009
【図８】
2011136465.tif 000010
【図９】
2011136465.tif 000011
【図１０】
2011136465.tif 000012